(57)【特許請求の範囲】
【請求項１】
映像を表示する、短辺と長辺とを有する長方形状の表示パネルと、
複数の光源及び前記複数の光源と電気的に接続されて前記光源に光源駆動信号を伝達する回路基板からなり、前記表示パネルに光を提供する光源モジュールと、
前記光源モジュールと電気的に接続され、前記表示パネルに軟質フィルムを介して物理的及び電気的に接続された印刷回路基板と、
前記光源モジュールと前記表示パネルとを収納するメイン収納部、及び該メイン収納部と接続され、前記メイン収納部の一側部に沿って第１方向（前記長辺に平行な方向）に延長されて前記印刷回路基板を支持する基板固定部を含む収納容器と、を備え、
前記光源モジュールが前記表示パネルの短辺に沿って配置され、前記印刷回路基板が前記表示パネルの長辺に沿って配置され、
前記軟質フィルムは、前記表示パネルから前記基板固定部の第１面の上方を経由して前記第１方向に直交する第２方向に延長され、該第１面の反対面である第２面の下方に折り曲げられることを特徴とする表示装置。
【請求項２】
前記印刷回路基板は、前記基板固定部の前記第２面と接触することを特徴とする請求項１に記載の表示装置。
【請求項３】
前記基板固定部の第２面は、前記印刷回路基板の回路未形成面と直接的に接触することを特徴とする請求項２に記載の表示装置。
【請求項４】
前記軟質フィルムは、前記基板固定部の前記第１面と向き合う対向面に実装される駆動チップを含むことを特徴とする請求項１に記載の表示装置。
【請求項５】
前記基板固定部は、内部に駆動チップが配置される第１ホールを含むことを特徴とする請求項４に記載の表示装置。
【請求項６】
前記基板固定部は、外側から前記メイン収納部に向かって前記第２方向に陥入し、前記基板固定部を包むように折曲げられる前記軟質フィルムをガイドするガイドホームを更に含むことを特徴とする請求項１に記載の表示装置。
【請求項７】
前記メイン収納部は収納空間を形成する側壁及び該側壁と接続された底部を含み、前記基板固定部は前記側壁のうちのいずれか１つと接続されて前記底部より上部に配置されることを特徴とする請求項１に記載の表示装置。
【請求項８】
前記基板固定部は、前記基板固定部が前記メイン収納部と接続された一側の反対側の端部に形成され、前記基板固定部の第１面から該第１面の反対面である前記基板固定部の第２面に向かって突出する突起を含むことを特徴とする請求項７に記載の表示装置。
【請求項９】
前記表示パネルと前記収納容器との間に配置されたモールドフレームを更に含み、前記モールドフレームは、前記光源モジュールを前記収納容器に固定して前記表示パネルを支持するメイン本体部と、前記メイン本体部と接続され、前記メイン本体部の一側部に沿って前記第１方向に延長され、前記基板固定部と前記軟質フィルムとの間に介在して前記基板固定部の第１面をカバーするカバー部と、を含むことを特徴とする請求項１に記載の表示装置。
【発明の詳細な説明】
【技術分野】
【０００１】
本発明は、表示装置に関し、より詳細には、構造的に安定なスリム化された光供給アセンブリを備えた表示装置に関する。
【背景技術】
【０００２】
一般的に、表示装置は、映像を表示する表示パネル、表示パネルに光を提供する光供給アセンブリ、及び表示パネルと光供給アセンブリに駆動及び／又は制御信号を提供する駆動部を含む。表示パネルは表示素子として液晶（Ｌｉｑｕｉｄ  Ｃｒｙｓｔａｌ）を含むことができる。光供給アセンブリは、光を発生する光源モジュールと、光源モジュールから光を効率的に表示パネルに提供するための多数の光学部材を含む。駆動部は印刷回路基板及び印刷回路基板に実装された多数のチップを含むことができる。
【０００３】
最近では、表示品質が良いスリム化され小型化された表示装置に対する消費者の要求が増加している。これによって、光源モジュールの光源として消費電力が低く、輝度が高い発光ダイオード（ｌｉｇｈｔ  ｅｍｉｔｔｉｎｇ  ｄｉｏｄｅ：ＬＥＤ）を主に利用している。また、表示装置をスリム化するために光供給アセンブリや表示パネルの厚さを減少させている。例えば、駆動部を表示パネルの背面に配置するよりは、駆動部を表示パネル及び光供給アセンブリを収納するボトムサッシの余裕空間に配置して表示パネルと同一平面に配置することで、相対的に表示装置の厚さを減少させることができる。
【０００４】
しかし、駆動部は、表示パネルと軟質（フレキシブル）フィルムによって電気的及び物理的に接続されるが、軟質フィルムは曲がりやすいため、駆動部がボトムサッシの余裕空間に安定的に固定されにくい。また、駆動部は限定された空間に配置されなければならないので、回路の形成領域を確保するために多数の基板層を含む印刷回路基板を利用することになるが、印刷回路基板が厚くなるほど表示パネルと同一平面に配置されにくい。これによって、表示装置が外部ケースに収納される場合、印刷回路基板が配置された部分が外部ケースの外部に向かい突出して外観が悪くなる。
【先行技術文献】
【特許文献】
【０００５】
【特許文献１】特開平１１−００７０１５号公報
【特許文献２】特開２００２−０９０７３５号公報
【特許文献３】韓国特許出願公開第２００７−００２０６０９号明細書
【発明の概要】
【発明が解決しようとする課題】
【０００６】
本発明は、上記従来の問題点に鑑みてなされたものであって、本発明の目的は、印刷回路基板を安定的に収納できるスリム化された表示装置を提供することにある。
【課題を解決するための手段】
【０００７】
上記目的を達成するためになされた本発明の一特徴による表示装置は、映像を表示する表示パネル、光源モジュール、印刷回路基板、及び収納容器を備える。前記光源モジュールは前記表示パネルに光を提供する。前記印刷回路基板は、前記光源モジュールと電気的に接続され、前記表示パネルに軟質フィルムを介して接続される。前記収納容器はメイン収納部と基板固定部とを含む。前記メイン収納部は前記光源モジュールと前記表示パネルとを収納する。前記基板固定部は前記メイン収納部と接続され、前記メイン収納部の一側部に沿って第１方向に延長されて前記印刷回路基板を支持する。
【０００８】
一実施形態において、前記軟質フィルムは、前記表示パネルから前記基板固定部の第１面を経由して前記第１方向と異なる第２方向に延長され、前記第１面から該第１面の反対面である第２面に折曲される。この時、前記印刷回路基板は前記基板固定部の前記第２面と接触する。
【０００９】
一実施形態において、前記第２面と接触する面は前記印刷回路基板の回路未形成面であってもよい。
【００１０】
一実施形態において、前記基板固定部は、内部に駆動チップが配置される第１ホールを含むことができる。前記駆動チップは前記第１面と向き合う前記軟質フィルムの対向面に実装される。
【００１１】
一実施形態において、前記基板固定部は、外側から前記メイン収納部に向かい前記第１方向と異なる第２方向に陥入し、前記基板固定部を包むように折曲される前記軟質フィルムをガイドするガイドホームを更に含むことができる。
【００１２】
一実施形態において、前記メイン収納部は収納空間を形成する側壁及び該側壁と接続された底部を含み、前記基板固定部は前記側壁のうちのいずれか１つと接続されて前記底部より上部に配置される。
【００１３】
一実施形態において、前記基板固定部は、前記基板固定部が前記メイン収納部と接続された一側の反対側の端部に形成され、前記基板固定部の第１面から該第１面の反対面である第２面に向かって突出する突起を更に含むことができる。
【００１４】
一実施形態において、前記表示装置は前記表示パネルと前記収納容器との間に配置されたモールドフレームを更に含むことができる。前記モールドフレームはメイン本体部及びカバー部を含むことができる。前記メイン本体部は前記光源モジュールを前記収納容器に固定して前記表示パネルを支持することができる。前記カバー部は、前記メイン本体部と接続され、前記メイン本体部の一側部に沿って前記第１方向に延長される。前記メイン本体部は前記メイン収納部の内部に収納され、前記カバー部は前記基板固定部上に配置される。
【００１５】
一実施形態において、前記カバー部は前記基板固定部と前記軟質フィルムとの間に介在する。
【００１６】
一実施形態において、前記カバー部は前記軟質フィルムに実装された駆動チップが配置される前記基板固定部の第１ホールと対応する領域に形成された第２ホールを含むことができる。
【００１７】
一実施形態において、相互に隣接した第２ホールの間の前記カバー部に開口が形成される。また、相互に隣接した第１ホールの間の前記基板固定部に開口を形成することができる。
【００１８】
一実施形態において、前記カバー部は、外側から前記メイン収納部に向かって陥入した前記基板固定部のガイドホームと対応する対応ホームを含むことができる。
【００１９】
一実施形態において、前記光源モジュールは前記表示パネルの短辺側に配置され、前記印刷回路基板は前記表示パネルの長辺側に配置される。
【００２０】
一実施形態において、前記表示パネルの長辺側は前記第１方向に沿って形成され、前記表示パネルの短辺側は前記第１方向と異なる第２方向に沿って形成される。
【００２１】
一実施形態において、前記表示パネルは、前記長辺側に前記軟質フィルムが付着され、前記短辺側にゲート駆動チップが実装された第１基板、及び前記第１基板と向き合い液晶層を介在する第２基板を含むことができる。
【００２２】
一実施形態において、前記収納容器は、前記基板固定部と接続された側壁に形成され、前記基板固定部の両側端部のそれぞれと隣接するように配置されて貫通ホールが形成された接続部を更に含むことができる。
【００２３】
本発明の光供給アセンブリは、光源モジュール、導光板、及び収納容器を備える。前記導光板は前記光源モジュールから提供された光をガイドする。前記収納容器は、前記光源モジュールと前記導光板とを収納するメイン収納部、及び前記メイン収納部と接続され、前記メイン収納部の一側部に沿って第１方向に延長された基板固定部を含む。
【００２４】
一実施形態において、前記基板固定部は前記基板固定部の一面上に配置される軟質フィルムに実装される駆動チップが内部に配置される第１ホールを含むことができる。
【００２５】
一実施形態において、前記基板固定部は前記メイン収納部と接続された一端部の反対である他端部が前記第１方向と異なる第２方向に陥入したガイドホームを含むことができる。  
【００２６】
一実施形態において、前記メイン収納部は収納空間を形成する側壁及び該側壁と接続された底部を含み、前記基板固定部は前記側壁のうちのいずれか１つと接続されて前記底部より上部に配置される。
【００２７】
一実施形態において、前記基板固定部は、前記基板固定部が前記メイン収納部と接続された一側の反対側の端部に形成され、前記基板固定部の第１面から該第１面の反対面である前記基板固定部の第２面に向かい突出する突起を含むことができる。
【発明の効果】
【００２８】
本発明の表示装置によれば、収納容器の基板固定部が印刷回路基板を支持することができ、印刷回路基板は安定的に収納容器に収納される。即ち、印刷回路基板の曲がりや傾きを防止でき、表示装置の剛性を向上させることができる。これによって、印刷回路基板が物理的及び電気的に安定的に収納容器に収納される。
【００２９】
また、基板固定部を収納容器の余裕空間に配置することによって、表示装置の大きさが大きくなることを最小化することができる。基板固定部が収納容器のメイン収納部のうちでも相対的に広い空間を確保できる長辺に沿って形成されることによって、印刷回路基板の厚さを減少させることができる。
【図面の簡単な説明】
【００３０】
【図１】本発明の一実施形態による表示装置を説明するための分解斜視図である。
【図２】図１のＩ‐Ｉ’ラインに沿って切断した断面図である。
【図３】図１の収納容器を説明するための斜視図である。
【図４】図１に示した表示装置をＡ方向から見た平面図である。
【図５】図４に示した表示装置の背面図である。
【図６】図１に示した表示装置と外部装置との結合関係を説明するための部分拡大斜視図である。
【図７】本発明の他の実施形態による表示装置を説明するための平面図である。
【図８】図７に示した表示装置の背面図である。
【図９】図７に示した表示装置の部分拡大斜視図である。
【図１０】本発明の更に他の実施形態による収納容器の突起を説明するための拡大斜視図である。
【図１１】本発明の更に他の実施形態による収納容器の突起を説明するための拡大斜視図である。
【図１２】本発明の更に他の実施形態による収納容器の平面図である。
【図１３】本発明の更に他の実施形態によるモールドフレームの平面図である。
【図１４】本発明の更に他の実施形態による表示装置を説明するための分解斜視図である。
【図１５】図１４のＩＩ‐ＩＩ’ラインに沿って切断した断面図である。
【図１６】本発明の更に他の実施形態による表示装置を説明するための分解斜視図である。
【図１７】図１６のＩＩＩ‐ＩＩＩ’ラインに沿って切断した断面図である。
【発明を実施するための形態】
【００３１】
以下、本発明の表示装置を実施するための形態の具体例を、図面を参照しながらより詳細に説明する。
【００３２】
図１は、本発明の一実施形態による表示装置を説明するための分解斜視図であり、図２は、図１のＩ‐Ｉ’ラインに沿って切断した断面図である。
【００３３】
図１及び図２を参照すると、本実施形態による表示装置８００は、ゲート駆動回路１３０が実装され、駆動部１４０と接続された表示パネルＰＬ、光供給アセンブリＢＬＵ、モールドフレーム５００、リアケース６００、及びトップケース７００を含む。光供給アセンブリＢＬＵは、光源モジュール２００、収納容器３００、導光板４１０、反射板４２０、及び光学シート４３０を含む。
【００３４】
表示パネルＰＬは、相互に向き合う第１基板１１０及び第２基板１２０を含む。表示パネルＰＬは、第１及び第２基板１１０、１２０の間に介在する液晶の光透過率を調節することによって、映像を表示することができる。表示パネルＰＬにおいて、第１基板１１０の中で第２基板１２０と重なった領域を、実際に映像を表示する領域の表示領域（ＤＡ、図４参照）と定義し、第１基板１１０の中で第２基板１２０と重ならない領域を、周辺領域（ＰＡ、図４参照）と定義する。
【００３５】
ゲート駆動回路１３０は第１基板１１０の周辺領域ＰＡに実装される。ゲート駆動回路１３０は第１基板１１０に形成されたゲートラインと電気的に接続される。図１では、ゲート駆動回路１３０が表示領域ＤＡの一側だけに配置されたものを示しているが、一側の反対側に配置された駆動回路を更に含むことができる。表示領域ＤＡの両側のそれぞれに駆動チップが配置される場合、奇数番目のゲートラインと偶数番目のゲートラインが駆動チップのそれぞれと接続されて表示パネルＰＬを駆動することができる。
【００３６】
駆動部１４０は多数の回路パターン１４８が形成された印刷回路基板１４２及び駆動チップ１４６が実装された軟質フィルム１４４を含む。駆動部１４０はゲート駆動回路１３０及び表示領域ＤＡと電気的に接続される。軟質フィルム１４４は一端部が第１基板１１０と接続され、一端部と反対である他の端部が印刷回路基板１４２と接続される。例えば、軟質フィルム１４４は第１基板１１０及び印刷回路基板１４２のそれぞれと異方性導電フィルム（図示せず）を介して物理的及び電気的に接続される。駆動チップ１４６は軟質フィルム１４４の下部面に実装されて表示パネルＰＬが映像を表示する方向の反対方向に配置される。
【００３７】
印刷回路基板１４２は表示パネルＰＬの第１方向Ｄ１に沿って延長される。印刷回路基板１４２の第１方向Ｄ１の両側端部の間の距離を印刷回路基板１４２の「長さ」と定義し、第１方向Ｄ１とは異なる第２方向Ｄ２の両側端部の間の距離を印刷回路基板１４２の「幅」と定義する。第２方向Ｄ２は、例えば、第１方向Ｄ１と直交する。印刷回路基板１４２の長さは表示パネルＰＬの第１方向Ｄ１の長さより短くてもよい。表示パネルＰＬで相対的に長さが短い辺が「短辺」となり、短辺と隣接した領域を短辺側１０１と定義する。また、短辺より相対的に長さが長い辺が「長辺」となり、長辺と隣接した領域を長辺側１０２と定義する。本実施形態では、印刷回路基板１４２の長さは第１方向Ｄ１に延長された表示パネルＰＬの長辺の長さより短い。また、短辺側１０１の第１基板１１０上にゲート駆動回路１３０が実装され、長辺側１０２と隣接するように駆動部１４０が配置される。
【００３８】
印刷回路基板１４２の一面１４２ａには回路パターン１４８が形成され、一面１４２ａの反対面１４２ｂには回路パターン１４８が形成されない。以下、回路パターン１４８が形成された一面１４２ａを「回路形成面」と定義し、回路パターン１４８が形成されない反対面１４２ｂを「回路未形成面」と定義する。光源モジュール２００を表示パネルＰＬの短辺側１０１に配置し、印刷回路基板１４２を表示パネルＰＬの長辺側１０２に配置するので、印刷回路基板１４２が配置できる十分な空間を長辺側１０２で確保することができる。即ち、光源モジュール２００を短辺側１０１に配置するので、回路未形成面１４２ｂが存在しても、表示パネルＰＬの駆動に必須的な回路パターン１４８を印刷回路基板１４２に全て具備することができる。また、長辺側１０２に十分な空間が確保されることで、回路形成面１４２ａの面積を最大化できるので、印刷回路基板１４２を構成する多層基板の層数を最小化でき、印刷回路基板１４２の厚さを減少することができる。
【００３９】
光源モジュール２００は、光を発生する多数の光源２１０、及び光源２１０と電気的に接続されて光源２１０に光源駆動信号を伝達する回路基板２２０を含む。回路基板２２０は接続線２３０を通じて印刷回路基板１４２と接続される。外部から提供される光源駆動信号は、接続線２３０を通じて回路基板２２０に提供され、回路基板２２０を通じて光源２１０のそれぞれに供給される。光源２１０は、例えば、発光ダイオード（ｌｉｇｈｔ  ｅｍｉｔｔｉｎｇ  ｄｉｏｄｅ、ＬＥＤ）を含むことができる。一例として、光源２１０の個数は約２７個である。
【００４０】
収納容器３００は、光源モジュール２００、導光板４１０、反射板４２０、光学シート４３０、及びモールドフレーム５００を収納する。収納容器３００は金属で形成される。金属の例としては、アルミニウム、又はガルバリウム等が挙げられる。収納容器３００は、実質的に収納の役割をするメイン収納部３１０と、メイン収納部３１０と接続された基板固定部３２０を含む。基板固定部３２０は第１ホール３２２を含む。収納容器３００については、図３を参照してより詳細に後述する。
【００４１】
導光板４１０は光源モジュール２００が光を放出する方向に光源モジュール２００と向かい合って配置される。光源モジュール２００が提供する光は、導光板４１０の入射面を通じて導光板４１０の内部に供給され、導光板４１０の出射面を通じて光学シート４３０側に出射する。反射板４２０は出射面と向き合う導光板４１０の下部面と対向して配置され、光学シート４３０は出射面と対向して配置される。
【００４２】
モールドフレーム５００はメイン本体部５１０及びカバー部５２０を含む。モールドフレーム５００はプラスチックで形成される。メイン本体部５１０は実質的に四つの側壁５１２を含み、側壁５１２のそれぞれには、対向する側壁５１２側に向かって突出した支持突起５１４が形成される。光源モジュール２００、導光板４１０、及び反射板４２０はメイン本体部５１０の下部側に配置されて、モールドフレーム５００の支持突起５１４によって光源モジュール２００、導光板４１０、及び反射板４２０が収納容器３００に固定される。メイン本体部５１０の上部側には光学シート４３０と表示パネルＰＬが配置されて、光学シート４３０及び表示パネルＰＬはモールドフレーム５００の支持突起５１４によって支持される。カバー部５２０は基板固定部３２０の第１面３２０ａ上に配置される。カバー部５２０が第１面３２０ａ上に配置されることによって、軟質フィルム１４４の下部面と直接的に接触するのは実質的にカバー部５２０となる。カバー部５２０は基板固定部３２０の第１面３２０ａをカバーする。これよって、カバー部５２０は基板固定部３２０と軟質フィルム１４４との間に介在することになる。カバー部５２０は第１ホール３２２に対応する領域に形成された第２ホール５２２を更に含むことができる。カバー部５２０の平面形状は基板固定部３２０の平面形状と実質的に同一であってもよい。
【００４３】
表示パネルＰＬと光供給アセンブリＢＬＵは袋フィルムＰＦによってカバーされる。袋フィルムＰＦは、光を遮断する黒色のフィルムとして、一面に接着部分を有することによって、表示パネルＰＬ及び光供給アセンブリＢＬＵの端に付着される。例えば、基板固定部３２０の相互に隣接した印刷回路基板１４２が離隔された領域である第１面３２０ａに対応して、接着部分が配置されて基板固定部３２０に袋フィルムＰＦが接着される。袋フィルムＰＦは、表示パネルＰＬの長辺側１０２から軟質フィルム１４４が折曲される方向に沿って曲げられて収納容器３００に接着される。これによって、表示パネルＰＬの長辺側１０２及び隣接した光供給アセンブリＢＬＵをカバーすることができる。袋フィルムＰＦは表示領域ＤＡを除いた表示装置８００の端に沿って接着される。
【００４４】
リアケース６００は、収納容器３００の下部に配置されて収納容器３００を含む光供給アセンブリＢＬＵ及び表示パネルＰＬを全体的に収納する。リアケース６００の底部には、第１結合ホール突起６１２、結合突起６１４、及び第２結合ホール突起６１６が形成される。第１及び第２結合ホール突起６１２、６１６のそれぞれは、リアケース６００の底部から突出しながら、スクリュと結合できるホールを含む。リアケース６００はトップケース７００と接続されることによって、表示パネルＰＬ及び光供給アセンブリＢＬＵを完全にカバーすることができる。トップケース７００は表示領域ＤＡを露出させる開口を含む。本実施形態のリアケース６００とトップケース７００を利用して表示装置８００の外観と安定性を向上させることができる。特に、表示パネルＰＬと光供給アセンブリＢＬＵが袋フィルムＰＦによってカバーされる場合、袋フィルムＰＦによって包まれた表示パネルＰＬ及び光供給アセンブリＢＬＵがリアケース６００及びトップケース７００の内部に配置されることによって、外部から袋フィルムＰＦが視認されず、表示装置８００の体裁が低下するのを防止することができる。
【００４５】
以下では、収納容器３００及びモールドフレーム５００のそれぞれと、収納容器３００と印刷回路基板１４２及び軟質フィルム１４４との結合関係などについて図３、図４、及び図６を参照してより詳細に後述する。
【００４６】
図３は、図１の収納容器を説明するための斜視図である。
【００４７】
図３を図１及び図２と共に参照すると、メイン収納部３１０は、四つの側壁３１２、及び側壁３１２と接続された底部３１３を含む。側壁３１２が接続されて収納容器３００の収納空間を定義する。
【００４８】
底部３１３は側壁３１２のそれぞれから収納空間に向かって突出した支持突起３１４を含む。支持突起３１４のそれぞれは、側壁３１２の延長方向に沿って延長され、延長方向と直交する方向に突出する。支持突起３１４は側壁３１２の下部と接続される。支持突起３１４は底部３１３の底開口３１６を定義する。
【００４９】
支持突起３１４が、実際に収納容器３００に収納される反射板４２０、導光板４１０、光学シート４３０、及びモールドフレーム５００等を支持する役割をし、底部３１３が支持突起３１４で構成されることによって、底部３１３の面積を最小化でき、収納容器３００の重さを最小化することができる。底部３１３に反射板４２０の端が配置されることによって、反射板４２０が移動することが制限される。反射板４２０が、メイン収納部３１０と結合することによって、実質的な収納容器３００の収納空間が確保される。即ち、反射板４２０と結合されたメイン収納部３１０の内部に光源モジュール２００、導光板４１０、光学シート４３０、及びモールドフレーム５００が収納される。
【００５０】
基板固定部３２０は側壁３１２のうちの長辺側１０２の一側壁３１２と接続される。基板固定部３２０は、メイン収納部３１０の一辺に沿って第１方向Ｄ１に沿って延長される。また、基板固定部３２０はメイン収納部３１０から第２方向Ｄ２に突出する。基板固定部３２０は、メイン収納部３１０の支持突起３１４より上部に配置される。基板固定部３２０と、基板固定部３２０に接続された側壁３１２が所定の空間を形成し、この空間に印刷回路基板１４２が配置される。
【００５１】
図４は、図１に示した表示装置をＡ方向から見た平面図であり、図５は、図４の背面図である。
【００５２】
図４及び図５では、収納容器３００及びモールドフレーム５００の構造をより明確に示すためにトップケース７００及びリアケース６００を示すことは省略する。
【００５３】
図４及び図５を参照すると、基板固定部３２０の第１面３２０ａは一部が軟質フィルム１４４によって包まれる面であり、第１面３２０ａの反対面である第２面３２０ｂは印刷回路基板１４２と直接的に接触する面である。
【００５４】
モールドフレーム５００のカバー部５２０が基板固定部３２０の第１面３２０ａ上に配置されるので、実際に図１のＡ方向から見ると、軟質フィルム１４４と直接的に接触するのはカバー部５２０である。説明の便宜上、基板固定部３２０を基準として説明すると、軟質フィルム１４４は第１基板１１０から第１面３２０ａを経由して第２方向Ｄ２に延長され、第１面３２０ａから第２面３２０ｂに折曲される。軟質フィルム１４４が第１面３２０ａ上のカバー部５２０を包みながら、第２面３２０ｂに折曲されることによって、印刷回路基板１４２は第２面３２０ｂと対向する。具体的に、印刷回路基板１４２の回路未形成面１４２ｂは第２面３２０ｂと直接的に接触する。駆動チップ１４６が軟質フィルム１４４の下部面に実装されるので、駆動チップ１４６は第１面３２０ａの反対面に配置される。即ち、軟質フィルム１４４の下部面が第１面３２０ａと反対の対向面となる。基板固定部３２０の全体的な形状は印刷回路基板１４２の形状と実質的に同一であってもよい。基板固定部３２０が印刷回路基板１４２を支持するので、印刷回路基板１４２にどんな方向へ外力が加えられても、印刷回路基板１４２が曲がったり曲げられたりせずに、収納容器３００に安定的に結合される。
【００５５】
また、収納容器３００の収納空間にモールドフレーム５００及び表示パネルＰＬが配置されることによって、収納容器３００の側壁３１２の内側壁面はモールドフレーム５００のメイン本体部５１０の外側壁面を包むように配置される。収納容器３００の側壁３１２の中で基板固定部３２０と接続された側壁の上部はモールドフレーム５００のカバー部５２０によってカバーされる。
【００５６】
図５に示した通り、収納容器３００は支持突起３１４が形成する底開口３１６を含むので、収納容器３００の背面では底開口３１６を通じて反射板４２０が部分的に露出する。
【００５７】
基板固定部３２０と印刷回路基板１４２は、相互に対応する領域に形成されたホール（図示せず）を含むことができる。基板固定部３２０及び印刷回路基板１４２は、それぞれを貫通するホールにスクリュを利用することによって、結合される。これとは異なり、基板固定部３２０の第２面３２０ｂと印刷回路基板１４２の回路未形成面１４２ｂとの間に両面接着テープを介在させることによってこれらを結合することもできる。
【００５８】
基板固定部３２０は第１ホール３２２を更に含むことができる。第１ホール３２２は基板固定部３２０を貫通する。第１ホール３２２の内部に駆動チップ１４６が配置される。軟質フィルム１４４が第１面３２０ａから第２面３２０ｂに折曲されることによって、軟質フィルム１４４の下部面に実装された駆動チップ１４６は第１面３２０ａと向き合うことになる。駆動チップ１４６も軟質フィルム１４４の表面から所定の厚さを有するため、駆動チップ１４６が第１ホール３２２のない第１面３２０ａに配置されると、第１面３２０ａから駆動チップ１４６の厚さ分、軟質フィルム１４４が浮くことがある。本実施形態によると、駆動チップ１４６が配置され得る第１ホール３２２を基板固定部３２０に形成することによって、軟質フィルム１４４は第１面３２０ａ上に完全に密着される。
【００５９】
図１〜図３では、駆動チップ１４６を収納する手段として第１ホール３２２を一例として説明したが、駆動チップ１４６を収納する手段として、基板固定部３２０を完全に貫通するホールではないホーム（図示せず）で代替できる。ホームの深さは、駆動チップ１４６の厚さより深く形成される。
【００６０】
カバー部５２０の第２ホール５２２は第１ホール３２２が形成された領域に対応して配置される。第２ホール５２２の形状は第１ホール３２２の形状と実質的に同一であってもよい。カバー部５２０が基板固定部３２０の第１面３２０ａをカバーしているので、駆動チップ１４６は、実際に第２ホール５２２を通過して第１ホール３２２に配置されることによって、第２ホール５２２及び第１ホール３２２に駆動チップ１４６が配置される。第２ホール５２２及び第１ホール３２２の全ての深さは、駆動チップ１４６の厚さより深い。
【００６１】
収納容器３００は、第１接続部３３０を更に含むことができる。第１接続部３３０は、基板固定部３２０と接続された側壁３１２に形成される。第１接続部３３０は第２方向Ｄ２に基板固定部３２０から突出し、２つの貫通ホール３３２を含む。第１接続部３３０を通じて収納容器３００を外部装置９００及びリアケース６００と接続する。第１接続部３３０は、基板固定部３２０の両側端部のそれぞれと隣接するように配置される。収納容器３００は第１接続部３３０が形成された側壁３１２と向き合う側壁に形成された第２接続部３４０を更に含むことができる。第２接続部３４０は収納容器３００をリアケース６００と接続する。即ち、第１及び第２接続部３３０、３４０によってリアケース６００に収納容器３００が固定される。以下、図６を参照して収納容器３００、リアケース６００、及び外部装置９００の結合関係を簡単に説明する。
【００６２】
図６は、図１に示した表示装置と外部装置との結合関係を説明するための部分拡大斜視図である。
【００６３】
図１及び図６を参照すると、第１接続部３３０の一貫通ホール３３２は第１結合ホール突起６１２と対応する位置に配置され、第１スクリュＳＣＷ１は一貫通ホール３３２を通過して第１結合ホール突起６１２に単独で挿入される。また、第１接続部３３０の他の貫通ホール３３２は結合突起６１４に対応する位置に配置され、結合突起６１４が他の貫通ホール３３２に挿入される。これによって、収納容器３００がリアケース６００と結合される。図示していないが、第２接続部３４０は、リアケース６００の底部に形成された他の結合突起と結合される。収納容器３００の一側壁３１２に形成された２つの第１接続部３３０と、一側壁３１２と向き合う他の側壁に形成された２つの第２接続部３４０によって、収納容器３００の四つの隅の領域がリアケース６００に固定される。
【００６４】
一方、リアケース６００の第２結合ホール突起６１６を通じて収納容器３００と結合されたリアケース６００が外部装置９００と接続される。図１に示したように、外部装置９００は使用者が情報処理機器に入力できる入力部、例えば、キーボード部９１０を含む。キーボード部９１０には多数のキー９２０が配置される。キーボード部９１０はヒンジ部９３０と接続される。ヒンジ部９３０は、第１及び第２方向Ｄ１、Ｄ２によって定義される平面から、この平面と垂直な方向に自由に動くことができる。リアケース６００の側壁にはヒンジ部９３０が安着される安着ホーム６２０が形成される。ヒンジ部９３０の一端にはホール９３２が形成され、ホール９３２がリアケース６００の第２結合ホール突起６１６と対応し、第２スクリュＳＣＷ２を通じて接続される。
【００６５】
図１では、表示装置８００は、入力手段を有する外部装置９００と結合された情報処理機器のノートブックを一例として説明したが、収納容器３００の第１接続部３３０を省略して外部装置９００と接続されないモニター、テレビなどに利用される。
【００６６】
本実施形態によると、収納容器３００の基板固定部３２０が印刷回路基板１４２を支持することができ、印刷回路基板１４２を安定的に収納容器３００に結合することができる。即ち、基板固定部３２０によって、印刷回路基板１４２の曲がりや傾きを防止でき、表示装置８００の剛性を向上させることができる。これによって、印刷回路基板１４２が物理的及び電気的に安定に収納容器３００に収納される。また、基板固定部３２０を表示パネルＰＬの長辺側１０２に配置し、光源モジュール２００を短辺側１０１に配置することによって、表示装置８００の大きさを増加させずに、基板固定部３２０の面積を最大限確保でき、印刷回路基板１４２の厚さも減少させることができる。
【００６７】
図７は、本発明の他の実施形態による表示装置を説明するための平面図であり、図８及び図９は、図７の背面図及び部分拡大斜視図である。
【００６８】
本実施形態による表示装置は、収納容器がガイドホーム及び突起を更に含み、モールドフレームが対応ホームを更に含むことを除いては、図１及び図２で説明した表示装置と実質的に同一である。従って、重複する説明は省略する。
【００６９】
図７、図８、及び図９を図１と共に参照すると、本実施形態による収納容器３００は基板固定部３２０に形成されたガイドホーム３２４を含み、モールドフレーム５００はカバー部５２０に形成された対応ホーム５２４を含む。
【００７０】
ガイドホーム３２４及び対応ホーム５２４のそれぞれは、表示装置８００の外側から収納容器３００のメイン収納部３１０に向かって陥入して軟質フィルム１４４が折曲されるのをガイドすることができる。対応ホーム５２４は、ガイドホーム３２４と実質的に同じ形状で形成される。ガイドホーム３２４及び対応ホーム５２４のそれぞれは、第１方向Ｄ１への幅が軟質フィルム１４４の第１方向Ｄ１の幅より広く形成される。また、ガイドホーム３２４及び対応ホーム５２４のそれぞれは、第１方向Ｄ１と直交する第２方向Ｄ２に陥入する程度が軟質フィルム１４４の厚さより大きい。ガイドホーム３２４及び対応ホーム５２４は軟質フィルム１４４を容易に折曲させることができ、軟質フィルム１４４が第１方向Ｄ１に移動することを最小化させることができる。
【００７１】
基板固定部３２０無しに軟質フィルム１４４が印刷回路基板１４２を直接包む構造では、ガイドホーム３２４と同一なホームを印刷回路基板１４２に形成することによって、回路パターン１４８が形成される領域を減少させることにはなるが、ガイドホーム３２４及び対応ホーム５２４が印刷回路基板１４２ではない収納容器３００とモールドフレーム５００に形成されることによって、回路パターン１４８が形成される印刷回路基板１４２の面積を最大限に活用することができる。
【００７２】
基板固定部３２０は突起３２６を更に含むことができる。突起３２６は基板固定部３２０がメイン収納部３１０と接続された一側の反対側の端部に形成される。突起３２６は、基板固定部３２０の第１面３２０ａから第１面３２０ａの反対面である第２面３２０ｂに向かって突出する。例えば、突起３２６は「Ｉ」字形に形成され、基板固定部３２０の一端部と共に「Ｌ」字形を成すことができる。突起３２６は印刷回路基板１４２が第２方向Ｄ２に流動することを防止することができる。即ち、突起３２６を形成することによって、基板固定部３２０の第２面３２０ｂ、突起３２６、及びメイン収納部３１０の側壁３１２が形成する空間に印刷回路基板１４２がより安定的に配置される。突起３２６は相互に隣接したガイドホーム３２４の間に配置される。即ち、ガイドホーム３２４は相互に隣接した突起３２６の間に配置される。
【００７３】
本実施形態によると、収納容器３００に基板固定部３２０を形成することによって、印刷回路基板１４２を安定的に固定させることができ、基板固定部３２０にガイドホーム３２４を追加的に形成することによって、容易に組立てることができ、軟質フィルム１４４の移動を最小化させることができる。また、突起３２６を形成することによって、印刷回路基板１４２をより安定的に基板固定部３２０に固定させることができる。
【００７４】
図１０は、本発明の更に他の実施形態による収納容器の突起を説明するための拡大斜視図である。
【００７５】
本実施形態による表示装置は、収納容器の突起の形状を除いては図７、図８、及び図９で説明した表示装置と実質的に同一である。従って、重複する説明は省略する。
【００７６】
図１０を参照すると、本実施形態による収納容器３００の基板固定部３２０は突起３２８を含む。突起３２８は相互に離隔された少なくとも２つのサブ突起部３２８ａ、３２８ｂを含む。
【００７７】
サブ突起部３２８ａ、３２８ｂのそれぞれは、基板固定部３２０の第１面３２０ａから第１面３２０ａの反対面である第２面３２０ｂに向かって突出する。サブ突起部３２８ａ、３２８ｂは相互に離隔されて配置される。突起３２８がサブ突起部３２８ａ、３２８ｂに分けられることによって、基板固定部３２０とリアケース６００の接触面積を減らすことができ、外力をサブ突起部３２８ａ、３２８ｂが基板固定部３２０に全体的に均一に分散させることができる。
【００７８】
図１１は、本発明の更に他の実施形態による収納容器の突起を説明するための拡大斜視図である。
【００７９】
本実施形態による表示装置は収納容器の突起の形状を除いては、図１０で説明した表示装置と実質的に同一である。従って、重複する説明は省略する。
【００８０】
図１１を参照すると、本実施形態による収納容器３００の基板固定部３２０は突起３２９を含む。突起３２９は、相互に離隔された少なくとも２つのサブ突起３２９ａ、３２９ｂを含む。サブ突起３２９ａ、３２９ｂは相互に離隔されて配置される。
【００８１】
サブ突起３２９ａ、３２９ｂのそれぞれは、基板固定部３２０の第１面３２０ａから第１面３２０ａの反対面である第２面３２０ｂに向かって突出し、サブ突起３２９ａ、３２９ｂの端部は第２面３２０ｂと平行するように所定の長さで延長される。例えば、サブ突起３２９ａ、３２９ｂのそれぞれは「Ｌ」字形に形成され、基板固定部３２０の一端部と共に「コ」字形を成すことができる。
【００８２】
本実施形態によると、サブ突起３２９ａ、３２９ｂの形状を変更することによって、図１０に示した突起３２８より相対的に印刷回路基板１４２をより強固に基板固定部３２０の第２面３２０ｂと隣接するように固定することができる。
【００８３】
図１２及び図１３は、本発明の更に他の実施形態による収納容器及びモールドフレームの平面図である。
【００８４】
本実施形態による収納容器及びモールドフレームのそれぞれは、開口を更に含むことを除いては、図１及び図２で説明した収納容器及びモールドフレームと実質的に同一である。従って、重複する説明は省略する。
【００８５】
図１及び図１２を参照すると、本実施形態による収納容器３０１はメイン収納部３１０及びメイン収納部３１０と接続された基板固定部３２０を含む。基板固定部３２０に表示パネルＰＬと軟質フィルム１４４を介して接続された印刷回路基板１４２が配置される。収納容器３０１は、外部装置９００とリアケース６００に収納容器３０１を接続する第１接続部３３０及び第２接続部３４０を更に含むことができる。基板固定部３２０には軟質フィルム１４４に実装された駆動チップ１４６を収納する第１ホール３２２が形成される。
【００８６】
相互に隣接した第１ホール３２２の間の基板固定部３２０には開口３２１が形成される。開口３２１は軟質フィルム１４４で包まれる領域を除いた基板固定部３２０に形成される。開口３２１が形成されても、残りの部分の基板固定部３２０が印刷回路基板１４２を充分に支持することができ、従って、収納容器３０１の重さを最小化することができる。
【００８７】
図１及び図１３を参照すると、本実施形態によるモールドフレーム５０１はメイン本体部５１０及びメイン本体部５１０と接続されたカバー部５２０を含む。カバー部５２０には駆動チップ１４６が収納されて、第１ホール３２２と対応する第２ホール５２２が形成される。
【００８８】
相互に隣接した第２ホール５２２の間のカバー部５２０には開口５２１が形成される。開口５２１は軟質フィルム１４４で包まれる領域を除いた領域のカバー部５２０に形成される。開口５２１が形成されても、残りの部分のカバー部５２０だけでも、基板固定部３２０を充分にカバーでき、従って、モールドフレーム５０１の重さを最小化することができる。
【００８９】
図示していないが、図１２に示した収納容器３０１は図７及び図８に示したガイドホーム３２４を更に含むことができる。また、図１３に示したモールドフレーム５０１は図７及び図８に示した対応ホーム５２４を更に含むことができる。
【００９０】
また、図１２に示した収納容器３０１の開口３２１の形状が図１３に示したモールドフレーム５０１の開口５２１の形状に適用されてもよく、図１３に示したモールドフレーム５０１の開口５２１の形状が図１２に示した収納容器３０１の開口３２１の形状に適用されてもよい。
【００９１】
本実施形態によると、収納容器３０１の基板固定部３２０を形成することによって、印刷回路基板１４２を安定的に固定することができる。付加的に、基板固定部３２０及びカバー部５２０のそれぞれに開口を形成することによって、収納容器３０１及びモールドフレーム５０１の重さを減少させることができる。これよって、収納容器３０１及びモールドフレーム５０１を含む表示装置の重さも減少させることができる。
【００９２】
図１４は、本発明の更に他の実施形態による表示装置を説明するための分解斜視図であり、図１５は、図１４のＩＩ−ＩＩ’ラインに沿って切断した断面図である。
【００９３】
本実施形態による表示装置は、収納容器及びモールドフレームの構造及びこれらの結合関係を除いては図１及び図２に示した表示装置と実質的に同一である。従って、重複する説明は省略する。
【００９４】
図１４及び図１５を参照すると、本実施形態による表示装置８０２の収納容器３００はメイン収納部３１０及び基板固定部３２０を含む。基板固定部３２０の位置を除いては、図１及び図２に示した収納容器と実質的に同一である。メイン収納部３１０の支持突起３１４を基準とすると、本実施形態による基板固定部３２０の高さが図１及び図２に示した基板固定部の高さより相対的に高く配置される。
【００９５】
収納容器３００の内部にモールドフレーム５０２が配置される。本実施形態によるモールドフレーム５０２は図１及び図２に示したモールドフレームのメイン本体部５１０だけを含むことと実質的に同一である。従って、モールドフレーム５０２自体が光源モジュール２００、導光板４１０、及び反射板４２０の上部に配置されて光源モジュール２００、導光板４１０、及び反射板４２０を収納容器３００に固定させることができる。モールドフレーム５０２は多数の光学シート４３０及び表示パネルＰＬを支持することができる。
【００９６】
モールドフレーム５０２が図１及び図２に示したカバー部５２０を含んでいないため、カバー部５２０の厚さ分、基板固定部３２０の高さが図１及び図２に示した基板固定部の高さより相対的に高く配置される。これによって、表示パネルＰＬから延長された軟質フィルム１４４は平たく基板固定部３２０の対面に配置される。
【００９７】
本実施形態によると、収納容器３００の内部に配置される従来のモールドフレームの構造を変更せずに、収納容器３００の構造をメイン収納部３１０及び基板固定部３２０を含むように変更することによって、軟質フィルム１４４と接続された印刷回路基板１４２を基板固定部３２０に安定的に安着させることができる。また、軟質フィルム１４４は平たく基板固定部３２０の対面に配置される。
【００９８】
図１６は、本発明の更に他の実施形態による表示装置を説明するための分解斜視図であり、図１７は図１６のＩＩＩ−ＩＩＩ’ラインに沿って切断した断面図である。
【００９９】
本実施形態による表示装置は、モールドフレーム５００が省略されたことを除いては図１及び図２に示した表示装置と実質的に同一である。従って、重複する説明は省略する。
【０１００】
図１６及び図１７を参照すると、本実施形態による表示装置８０４は収納容器３００を含む。収納容器３００の収納空間に反射板４２０、導光板４１０、光源モジュール２００、光学シート４３０、及び表示パネルＰＬが収納される。光学シート４３０は導光板４１０上に配置される。図１及び図２に示した表示装置８００と比較すると、図１に示したモールドフレーム５００を省略することによって、光学シート４３０と導光板４１０との間の空間が除去され、モールドフレーム５００の厚さ分、表示装置８０４の厚さを最小化することができる。
【０１０１】
また、図１及び図２に示した表示装置８００と比較すると、モールドフレーム５００の側壁の厚さ分、表示装置８０４の面積を最大化することができ、モールドフレーム５００の分、表示装置８０４の重さを減らすことができる。
【０１０２】
本実施形態によると、図１及び図２に示したモールドフレーム５００を省略し、収納容器３００の構造をメイン収納部３１０及び基板固定部３２０を含むように変更することによって、軟質フィルム１４４と接続された印刷回路基板１４２を基板固定部３２０に安定的に安着することができる。また、軟質フィルム１４４は、平たく基板固定部３２０の対面に配置される。
【産業上の利用可能性】
【０１０３】
以上、本発明の詳細な説明によると、収納容器の基板固定部が印刷回路基板を支持することができ、印刷回路基板の曲がりや傾きを防止することができる。これによって、製品の剛性を向上させることができる。このような収納容器を含む表示装置は、ノートブックの表示部、モニター、又はテレビ等に用いることができる。
【０１０４】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【０１０５】
１０１    短辺側
１０２    長辺側
１１０    第１基板
１２０    第２基板
１３０    ゲート駆動回路
１４０    駆動部
１４２    印刷回路基板
１４２ａ    印刷回路基板の一面（回路形成面）
１４２ｂ    一面の反対面（回路未形成面）
１４４    軟質フィルム
１４６    駆動チップ
１４８    回路パターン
２００    光源モジュール
２１０    光源
２２０    回路基板
２３０    接続線
３００、３０１    収納容器
３１０    メイン収納部
３１２    側壁
３１３    底部
３１４    支持突起
３１６    底開口
３２０    基板固定部
３２０ａ    第１面
３２０ｂ    第２面
３２１、５２１    開口
３２２    第１ホール
３２４    ガイドホーム
３２６、３２８、３２９    突起
３２８ａ、３２８ｂ、３２９ａ、３２９ｂ    サブ突起部
３３０    第１接続部
３３２    貫通ホール
３４０    第２接続部
４１０    導光板
４２０    反射板
４３０    光学シート
５００、５０１、５０２    モールドフレーム
５１０    メイン本体部
５１２    側壁
５１４    支持突起
５２０    カバー部
５２２    第２ホール
５２４    対応ホーム
６００    リアケース
６１２    第１結合ホール突起
６１４    結合突起
６１６    第２結合ホール突起
６２０    安着ホーム
７００    トップケース
８００、８０２、８０４    表示装置
９００    外部装置
９１０    キーボード部
９２０    キー
９３０    ヒンジ部
９３２    ホール
ＢＬＵ    光供給アセンブリ
ＤＡ    表示領域
ＰＡ    周辺領域
ＰＦ    袋フィルム
ＰＬ    表示パネル
【図１】
0005890123.tif 000002
【図２】
0005890123.tif 000003
【図３】
0005890123.tif 000004
【図４】
0005890123.tif 000005
【図５】
0005890123.tif 000006
【図６】
0005890123.tif 000007
【図７】
0005890123.tif 000008
【図８】
0005890123.tif 000009
【図９】
0005890123.tif 000010
【図１０】
0005890123.tif 000011
【図１１】
0005890123.tif 000012
【図１２】
0005890123.tif 000013
【図１３】
0005890123.tif 000014
【図１４】
0005890123.tif 000015
【図１５】
0005890123.tif 000016
【図１６】
0005890123.tif 000017
【図１７】
0005890123.tif 000018